(57)【要約】      （修正有）【課題】トップテーブル型の冷蔵庫に関し、特に、冷蔵庫からの放熱を分散することで、リビング等に配置されテーブルとしても機能し、その周囲に人が集うことができる冷蔵庫を提供する。【解決手段】本発明の冷蔵庫１では、機械室１９は、冷蔵庫１の左側の下部であり、冷蔵庫１の前後方向に渡り配設されている、機械室１９の前後方向の端部近傍には、機械室１９内の空気を放出する放出口４５、４６が形成されている。そして、機械室１９にて発生する熱により温められた空気は、断熱扉４Ａに形成される放熱風路部材３３を介して、冷蔵庫１の前後方向から外部へ放出される。この構造により、上記温められた空気は冷蔵庫１の前後方向に分散され、更に、断熱扉４Ａと突出部４３、４４との間の隙間にて拡散することで、人が不快に感じ難い状況にて外部へ放出される。【選択図】図３
2018059674.tif 000002
【特許請求の範囲】
【請求項１】
貯蔵室が形成される断熱箱体と、前記貯蔵室の開口を開閉自在に塞ぐ断熱扉と、前記断熱箱体の側方に形成される機械室と、前記断熱扉の配設領域の上方に形成される前記断熱箱体の突出部と、を備え、
前記機械室の側面に形成される放出口と、前記放出口近傍に配設され前記機械室内の空気を送り出す送風機と、前記断熱扉に形成され、両端部が開口し前記送風機を介して前記機械室内の空気が流れ込む放熱風路部材と、を有する放熱構造体を有し、
前記放熱構造体は、前記断熱扉が閉められた状態において、前記放熱風路部材の一端側の開口部は前記放出口と対向し、前記放熱風路部材の他端側の開口部は前記突出部と対向することを特徴とする冷蔵庫。
【請求項２】
前記貯蔵室は前記断熱箱体を一方向に貫通して形成され、前記断熱扉は前記貯蔵室の一方の開口を開閉自在に塞ぐ第１の断熱扉と、前記貯蔵室の他方の開口を開閉自在に塞ぐ第２の断熱扉とを有し、
前記第１の断熱扉及び前記第２の断熱扉はそれぞれ観音開閉式扉であり、前記放熱風路部材は、前記第１の断熱扉及び前記第２の断熱扉のそれぞれ一方の前記観音開閉式扉に対して形成されることを特徴とする請求項１に記載の冷蔵庫。
【請求項３】
前記放熱風路部材は、それぞれ前記第１の断熱扉及び前記第２の断熱扉の前記一方の前記観音開閉式扉の底面から中央側の側面に沿って延在して配設され、
前記第１の断熱扉及び前記第２の断熱扉には、結露防止用ヒータが配設されていないことを特徴とする請求項２に記載の冷蔵庫。
【請求項４】
前記断熱箱体には、前記貯蔵室を挟むように前記機械室と対向して冷却室が配設され、前記断熱箱体の底面には、少なくとも前記冷却室、前記第１の断熱扉及び前記第２の断熱扉の他方の前記観音開閉式扉の下方を覆うように凝縮器が配設されていることを特徴とする請求項２または請求項３に記載の冷蔵庫。
【請求項５】
前記断熱箱体には、前記貯蔵室の上方に前記貯蔵室と前記冷却室とを繋ぎ前記冷却室にて冷却された冷気を流す供給風路が形成され、
前記供給風路は、前記貯蔵室の前記冷却室側から前記機械室側へと向けて延在する第１の供給風路と、前記第１の供給風路から分岐して前記貯蔵室の前記一方の開口及び前記他方の開口に沿ってそれぞれ前記冷却室側へと戻る一対の第２の供給風路とを有し、前記第２の供給風路にはそれぞれ複数の吹出口が形成されていることを特徴とする請求項４に記載の冷蔵庫。
【請求項６】
前記断熱箱体には、前記貯蔵室の前記一方の開口の端部近傍及び前記他方の開口の端部近傍にそれぞれ庫内照明が配設されていることを特徴とする請求項２から請求項５のいずれか１項に記載の冷蔵庫。
【発明の詳細な説明】
【技術分野】
【０００１】
本発明は、トップテーブル型の冷蔵庫に関し、特に、冷蔵庫からの放熱を分散することで、リビング等に配置されテーブルとしても機能し、その周囲に人が集うことができる冷蔵庫に関する。
【背景技術】
【０００２】
従来のトップテーブル型の冷蔵庫として、以下の構造が知られている。図６（Ａ）では、冷蔵庫１００の外観斜視図を示し、図６（Ｂ）では、図６（Ａ）に示す冷蔵庫１００の断面図を示している。図６（Ａ）に示す如く、冷蔵庫１００の前面には、その前面開口を開閉自在に塞ぐ断熱扉１０１、１０２が配設されている。そして、冷蔵庫１００の上端にはトップテーブル１０３が配設されている。尚、冷蔵庫１００の庫内は、区画壁（図示せず）により左右に区画され、断熱扉１０１側には冷蔵室（図示せず）が設けられ、断熱扉１０２側には冷凍室１０４（図６（Ｂ）参照）が設けられている。
【０００３】
図６（Ｂ）に示す如く、冷蔵庫１００の庫内の奥側には、仕切板１０５にて区画された冷却室１０６が設けられ、冷却室１０６には冷却器１０７や送風機１０８が配設されている。そして、冷蔵庫１００の外箱１０９の背板の内面には凝縮器１１０が配設され、背板の内方には凹所１１１が形成されている。凹所１１１が形成されることで、凝縮器１１０の放熱空間が確保されている。また、冷蔵庫１００の背面側下方には機械室１１２が形成され、機械室１１２内にはコンプレッサ１１３が配設されている（例えば、特許文献１参照。）。
【先行技術文献】
【特許文献】
【０００４】
【特許文献１】特公平７−３７８７６号公報
【発明の概要】
【発明が解決しようとする課題】
【０００５】
上述した冷蔵庫１００は、小型の冷蔵庫であり、例えば、独身者住宅にてリビングに据え付けられ、ビール等の嗜好品の収納に用いられている。そして、冷蔵庫１００の上端にはトップテーブル１０３が配設されている。使用者は、そのトップテーブル１０３上に晩飯、おつまみや冷蔵庫１００内で冷やされたビール等を並べ、冷蔵庫１００をテーブルとしても利用することができる。
【０００６】
しかしながら、冷蔵庫１００は、キッチン等に据え付けられる大型の冷蔵庫と同様に、冷蔵庫１００の背面側に放熱構造が設けられている。具体的には、凝縮器１１０が、冷蔵庫１００の外箱１０９の背板に設けられた凹所１１１内に配設されている。また、コンプレッサ１１３も冷蔵庫１００の背面側下方の機械室１１２内に配設されている。
【０００７】
この構造により、冷蔵庫１００は、主に、その背面側から冷蔵庫１００から発生する熱を放出している。つまり、リビングにて冷蔵庫１００をテーブルとして利用する場合において、冷蔵庫１００の背面側は、上記放熱により人が不快と感じ易い領域となる。そのため、上記放熱構造の冷蔵庫１００では、人がトップテーブル１０３を囲むように座ることが難しいという問題がある。
【０００８】
また、独身者住宅だけでなく、家族等の複数人が同居する住宅にて冷蔵庫１００をテーブルとしても利用する場合には、冷蔵庫１００のトップテーブル１０３では、テーブルとしてのスペースが狭く、テーブルとしては使い勝手が悪いという問題がある。この場合、例えば、冷蔵庫１００を横長の形状とし、トップテーブル１０３も横長にし、テーブルとしてのスペースを広げることが考えられる。しかしながら、冷蔵庫１００を横長の形状とすることで、庫内の収納スペースも横長となり、その冷蔵庫１００の庫内に冷気を偏りなく循環させるための構造を実現しなければならないという新たな問題も発生する。
【０００９】
本発明は、上記の事情に鑑みてなされたものであり、冷蔵庫からの放熱を分散させ冷蔵庫の周囲に人が集えるテーブルとして利用するとともに、その庫内に冷気を偏りなく循環させる冷蔵庫を提供することにある。
【課題を解決するための手段】
【００１０】
本発明の冷蔵庫では、貯蔵室が形成される断熱箱体と、前記貯蔵室の開口を開閉自在に塞ぐ断熱扉と、前記断熱箱体の側方に形成される機械室と、前記断熱扉の配設領域の上方に形成される前記断熱箱体の突出部と、を備え、前記機械室の側面に形成される放出口と、前記放出口近傍に配設され前記機械室内の空気を送り出す送風機と、前記断熱扉に形成され、両端部が開口し前記送風機を介して前記機械室内の空気が流れ込む放熱風路部材と、を有する放熱構造体を有し、前記放熱構造体は、前記断熱扉が閉められた状態において、前記放熱風路部材の一端側の開口部は前記放出口と対向し、前記放熱風路部材の他端側の開口部は前記突出部と対向することを特徴とする。
【００１１】
また、本発明の冷蔵庫では、前記貯蔵室は前記断熱箱体を一方向に貫通して形成され、前記断熱扉は前記貯蔵室の一方の開口を開閉自在に塞ぐ第１の断熱扉と、前記貯蔵室の他方の開口を開閉自在に塞ぐ第２の断熱扉とを有し、前記第１の断熱扉及び前記第２の断熱扉はそれぞれ観音開閉式扉であり、前記放熱風路部材は、前記第１の断熱扉及び前記第２の断熱扉のそれぞれ一方の前記観音開閉式扉に対して形成されることを特徴とする。
【００１２】
また、本発明の冷蔵庫では、前記放熱風路部材は、それぞれ前記第１の断熱扉及び前記第２の断熱扉の前記一方の前記観音開閉式扉の底面から中央側の側面に沿って延在して配設され、前記第１の断熱扉及び前記第２の断熱扉には、結露防止用ヒータが配設されていないことを特徴とする。
【００１３】
また、本発明の冷蔵庫では、前記断熱箱体には、前記貯蔵室を挟むように前記機械室と対向して冷却室が配設され、前記断熱箱体の底面には、少なくとも前記冷却室、前記第１の断熱扉及び前記第２の断熱扉の他方の前記観音開閉式扉の下方を覆うように凝縮器が配設されていることを特徴とする。
【００１４】
また、本発明の冷蔵庫では、前記断熱箱体には、前記貯蔵室の上方に前記貯蔵室と前記冷却室とを繋ぎ前記冷却室にて冷却された冷気を流す供給風路が形成され、前記供給風路は、前記貯蔵室の前記冷却室側から前記機械室側へと向けて延在する第１の供給風路と、前記第１の供給風路から分岐して前記貯蔵室の前記一方の開口及び前記他方の開口に沿ってそれぞれ前記冷却室側へと戻る一対の第２の供給風路とを有し、前記第２の供給風路にはそれぞれ複数の吹出口が形成されていることを特徴とする。
【００１５】
また、本発明の冷蔵庫では、前記断熱箱体には、前記貯蔵室の前記一方の開口の端部近傍及び前記他方の開口の端部近傍にそれぞれ庫内照明が配設されていることを特徴とする。
【発明の効果】
【００１６】
本発明の冷蔵庫では、断熱箱体の開口を開閉自在に塞ぐ断熱扉を有し、断熱扉には放熱風路部材が形成されている。放熱風路部材は、機械室内部に発生した熱により温められた空気を外部へ放出するための風路である。そして、断熱扉が閉じられた状態時に放熱風路部材の開口部が機械室の放出口と対向することで、上記温められた空気が放熱風路部材に流れ込み、断熱扉の上方から外部へと放出される。この構造により、冷蔵庫内部にて発生した熱が、分散し、拡散して外部に放出され、冷蔵庫の周囲に人が集うことができ、冷蔵庫をテーブルとしても利用することができる。
【００１７】
また、本発明の冷蔵庫では、貯蔵室が冷蔵庫の前後方向に貫通し、貯蔵室の前面開口及び後面開口にはそれぞれ断熱扉が配設されている。両断熱扉には、放熱風路部材が形成されることで、機械室内部の温められた空気を冷蔵庫の前後方向から分散して放出することができる。この構造により、冷蔵庫内部にて発生した熱が、分散し、拡散して外部に放出され、冷蔵庫の周囲に人が集うことができる。
【００１８】
また、本発明の冷蔵庫では、断熱扉に形成された放熱風路部材の内部を機械室にて温められた空気が流れることで、放熱風路部材が結露防止用ヒータとしての役割を成す。一方、放熱風路部材が形成されない断熱扉の下方には凝縮器が配設されている。この構造により、冷蔵庫内部にて発生した熱を活用することで、結露防止用ヒータを省略し、製造コストを低減することができる。
【００１９】
また、本発明の冷蔵庫では、冷却室と機械室とが、貯蔵室を挟むように冷蔵庫の対向する側方に配設され、凝縮器は冷却室の下方を覆うように配設されている。この構造により、貯蔵室が、冷蔵庫の一方向に偏って配設されることが防止され、使用者の使い勝手が向上される。また、冷却室の蒸発皿内に溜まる水は、凝縮器の熱を利用して蒸発される。
【００２０】
また、本発明の冷蔵庫では、冷蔵庫の上面側の断熱箱体がトップテーブルとしても用いられ、冷蔵庫は横長形状に形成され、貯蔵室も横長形状に形成されている。そして、冷気の供給風路が貯蔵室の長手方向に沿って形成され、貯蔵室の奥側から手前側に向けて徐々に吹き出されることで、冷気が貯蔵室全体に偏りなく、効率的に供給される。
【００２１】
また、本発明の冷蔵庫では、貯蔵室の前面開口及び後面開口近傍にそれぞれ庫内照明が配設されている。庫内照明は、貯蔵室の前方端部及び後方端部から奥側に向けて貯蔵室内を照らしている。この構造により、貯蔵室内に収納された食材は、前面開口及び後面開口側に向けて影が出来難くなるため、貯蔵室内が明るくなり、貯蔵室内の食材等が見易くなる。
【図面の簡単な説明】
【００２２】
【図１】本発明の実施形態に係る冷蔵庫を説明する図であり（Ａ）斜視図、（Ｂ）側面断面図である。
【図２】本発明の実施形態に係る冷蔵庫の断熱扉を説明する分解斜視図である。
【図３】本発明の実施形態に係る冷蔵庫の放熱構造体を説明する図であり、（Ａ）側面断面図、（Ｂ）側面断面図である。
【図４】本発明の実施形態に係る冷蔵庫の供給風路を説明する図であり、（Ａ）平面図、（Ｂ）側面断面図である。
【図５】本発明の実施形態に係る冷蔵庫の庫内照明を説明する図であり、（Ａ）平面図、（Ｂ）側面断面図である。
【図６】従来における冷蔵庫を示す図であり、（Ａ）外観斜視図、（Ｂ）断面図である。
【発明を実施するための形態】
【００２３】
以下、本発明の実施形態に係る冷蔵庫１を図面に基づき詳細に説明する。尚、以下の説明では、上下方向は冷蔵庫１の高さ方向を示し、左右方向は冷蔵庫１の幅方向を示す、前後方向は冷蔵庫１の奥行方向を示している。
【００２４】
図１（Ａ）は、本発明の実施形態に係る冷蔵庫１の概略構造を説明するための斜視図である。図１（Ｂ）は、本発明の実施形態に係る冷蔵庫１の概略構造を説明するための図であり、図１（Ａ）に示す冷蔵庫１のＡ−Ａ線方向の側面断面図である。
【００２５】
図１（Ａ）に示す如く、冷蔵庫１は、テーブル型の横型冷蔵庫であり、例えば、リビングに配置され、その周囲にソファ等が配置されテーブルとしても利用される。詳細は後述するが、冷蔵庫１の上面側の断熱箱体２がトップテーブル２Ａとしても用いられ、冷蔵庫１を囲むように家族等が集い、食事等を行うことができる。そして、冷蔵庫１のサイズは、例えば、横幅Ｗ１が１．０ｍ、奥行き幅Ｗ２が０．６ｍ、高さＴが０．４６ｍである。トップテーブル２Ａとしての広さも十分に確保されている。尚、図示していないが、冷蔵庫１には差し込み電源が設けられ、その差し込み電源を利用し、冷蔵庫１のトップテーブル２Ａ上にノートパソコンを置き使用することもできる。
【００２６】
また、冷蔵庫１は、本体としての断熱箱体２を備え、この断熱箱体２の内部に食品等を貯蔵する貯蔵室３が形成されている。貯蔵室３は、例えば、冷蔵室であり、ビール等の飲料品や食料品を保存することができ、貯蔵室３内は３℃以上６℃以下に冷却されている。
【００２７】
断熱箱体２の貯蔵室３は、冷蔵庫１の前後方向に貫通するように開口し、前面開口及び後面開口には、各々断熱扉４、５が開閉自在に配設されている。断熱扉４は、例えば、観音開閉式扉であり、一対の断熱扉４Ａ、４Ｂから構成されている。そして、断熱扉４Ａは左端の上下端部が回動自在に断熱箱体２により支持され、断熱扉４Ｂは右端の上下端部が回動自在に断熱箱体２により支持されている。尚、以下の説明では、断熱扉４は、適宜、断熱扉４Ａ、４Ｂとして説明する。
【００２８】
また、断熱扉４Ａには、前面開口の中央側の端部にセンターピラー６がその上下方向に沿って取り付けられている。センターピラー６の前面側には永久磁石入りのガスケット（図示せず）が配設され、断熱扉４Ａ、４Ｂが閉められた状態では、断熱扉４Ａ、４Ｂに対して庫内側から着磁し、貯蔵室３の密閉性を実現する。尚、センターピラー６は、例えば、ヒンジ機構（図示せず）により断熱扉４Ａに回転自在に取り付けられ、断熱扉４Ａ、４Ｂを開く動作に連動して断熱扉４Ａ、４Ｂから離脱し、回転しながら断熱扉４Ａに追従する。
【００２９】
断熱扉５も、断熱扉４と同様に、例えば、観音開閉式扉であり、一対の断熱扉５Ａ、５Ｂから構成されている。そして、断熱扉５Ａ、５Ｂ及びセンターピラー６の構造は、断熱扉４の説明を参照し、ここではその説明を割愛する。尚、以下の説明では、断熱扉５は、適宜、断熱扉５Ａ、５Ｂとして説明する。
【００３０】
尚、第１の断熱扉は断熱扉４に対応し、第２の断熱扉は断熱扉５に対応するが、その逆の場合でも良い。また、一方の観音開閉式扉は断熱扉４Ａ、５Ａに対応し、他方の観音開閉式扉は断熱扉４Ｂ、５Ｂに対応する。
【００３１】
図１（Ｂ）に示す如く、断熱箱体２は、前面開口及び後面開口を有する鋼板製の外箱７と、この外箱７内に間隙を持たせて配設され、前面開口及び後面開口を有する合成樹脂製の内箱８と、から構成されている。外箱７と内箱８との間隙には、発泡ポリウレタン製の断熱材９が充填発泡されている。尚、上述した断熱扉４、５も、断熱箱体２と同様の断熱構造が採用されている。
【００３２】
上述したように、貯蔵室３はその前後方向に開口し、その左右方向は内箱８により囲まれている。内箱８の内部であって、貯蔵室３の右側であり断熱箱体２の側壁２Ｒ手前には冷却室１１が配設され、冷却室１１は合成樹脂板等からなる仕切部材１０にて区画されている。そして、冷却室１１の内部には、貯蔵室３内を循環する空気を冷却するための蒸発器１２が配設されている。
【００３３】
冷却室１１の上部には、仕切部材１０の上部を部分的に開口した送風口１４が形成され、送風口１４を介して貯蔵室３と後述する供給風路１３とは繋がっている。送風口１４近傍の冷却室１１には、例えば、軸流送風機である送風機１５が配設されている。一方、冷却室１１の下部には、仕切部材１０の下部を部分的に開口した戻り口１６が形成され、戻り口１６を介して貯蔵室３と冷却室１１とは繋がっている。
【００３４】
供給風路１３は、内箱８の内部であって貯蔵室３の上面側に沿って左右方向に延在して配設され、合成樹脂板製の仕切部材であるダクトカバー１７によって貯蔵室３と仕切られている。
【００３５】
冷蔵庫１の左側の下部であり、貯蔵室３の左側の側壁２Ｌの奥側には、機械室１９が形成されている。機械室１９は、断熱箱体２の左側側面を覆う機械室カバー１８や断熱箱体２等にて囲まれている。つまり、機械室１９は、貯蔵室３を挟むように冷却室１１と対向して形成されている。そして、機械室１９には、圧縮機２０と後述する２つの送風機４７、４８（図３（Ａ）参照）等が配設され、機械室カバー１８には、例えば、その上下方向に複数のスリット状の通風口（図示せず）が形成されている。
【００３６】
断熱箱体２の底面には、貯蔵室３の中央から右側側壁２Ｒの下方までに渡り、プレート状の凝縮器２１が配設されている。凝縮器２１が、冷却室１１の下方を覆うように配設されることで、蒸発皿（図示せず）に溜まる水が、凝縮器２１の熱を利用して蒸発する。また、図５（Ｂ）に示すように、凝縮器２１は、断熱扉４Ｂ、５Ｂの下方にも配設されている。そして、凝縮器２１が断熱扉４Ｂ、５Ｂの下方に配設され、凝縮器２１からの放熱が利用されることで、断熱扉４Ｂ、５Ｂには結露防止用のヒータが配設されることなく、断熱扉４Ｂ、５Ｂの結露が防止される。尚、凝縮器２１からの放熱のみではなく、断熱箱体２内のパイプ構造や冷媒配管等も利用して、上記断熱扉４Ｂ、５Ｂの結露が防止されている。
【００３７】
蒸発器１２は、圧縮機２０、凝縮器２１及び図示しないキャピラリーチューブ若しくは膨張弁に、冷媒配管を介して接続されており、蒸気圧縮式の冷凍サイクル回路を構成している。尚、冷凍サイクルの冷媒としては、例えば、イソブタン（Ｒ６００ａ）が用いられている。
【００３８】
冷蔵庫１の左側の上部であり、貯蔵室３の左側の側壁２Ｌの奥側には、制御室２２が形成されている。制御室２２は、機械室１９の上方に配設され、断熱箱体２の左側側面を覆う機械室カバー１８や断熱箱体２等にて囲まれている。制御室２２には、制御基板２３が配設され、この制御基板２３は、図示しない温度センサ等のセンサ類からの入力値を基に所定の演算処理を実行し、蒸発器１２、圧縮機２０、送風機１５、４７、４８等の各構成機器を制御する。尚、断熱箱体２の左側側面は、機械室カバー１８により全面が覆われている場合について説明したが、機械室１９と制御室２２とが、それぞれ別の鋼板製のカバーにて覆われている場合でも良い。
【００３９】
また、断熱箱体２の底面には、合成樹脂製の脚部２４が接続されている。脚部２４は４本の脚を有し、断熱箱体２の底面とフローリング等の床との間には放熱用の隙間が形成されている。上述したように、断熱箱体２の底面には、プレート状の凝縮器２１が配設されているが、凝縮器２１から放出された熱は、上記断熱箱体２と床との間の隙間を漂い、あらゆる方向に発散することで、冷蔵庫１の周囲に集う人は、放熱による不快を感じ難くなる。
【００４０】
上述したように、冷却室１１と機械室１９とが、貯蔵室３の対向する側方にそれぞれ配設されることで、貯蔵室３が冷蔵庫１に対して片方に偏って配設されることが防止される。一方、断熱扉４Ａ、４Ｂ及び断熱扉５Ａ、５Ｂは、それぞれ貯蔵室３の前面開口及び後面開口に対して均等な位置に配設されている。そして、断熱扉４Ａ、４Ｂ及び断熱扉５Ａ、５Ｂのどちらか一方の扉を開けても、貯蔵室３の空間に大きな偏りがなく、使用者にとって使い易い構造が実現されている。尚、貯蔵室３内にて、機械室１９は冷却室１１よりも少し突出するが、その突出した領域にラック２５を形成することで、調味料等の小物も貯蔵室３内に収納することができる。
【００４１】
図２は、本発明の実施形態に係る冷蔵庫１の断熱扉４Ａの構造を説明するための分解斜視図である。尚、以下の説明では、断熱扉４Ａについて説明するが、断熱扉５Ａも同じ構造であり、ここではその説明を割愛する。また、上述したように、断熱扉４Ａには、センターピラー６が取り付けられているが、ここでは省略して図示している。
【００４２】
図２に示す如く、断熱扉４Ａは、主に、意匠面となる前面板材３１と、前面板材３１が固定される扉枠体３２と、扉枠体３２に固定される放熱風路部材３３と、扉枠体３２に固定される後面板材３４と、後面板材３４に固定されるガスケット３５と、を有している。
【００４３】
前面板材３１は、例えば、鋼板製の板材であり、断熱扉４Ａの形状に合わせて略長方形形状に成形されている。そして、前面板材３１は、扉枠体３２の開口を塞ぐように扉枠体３２の前面側に組み付けられている。
【００４４】
扉枠体３２は、例えば、合成樹脂製の枠部材であり、断熱扉４Ａの厚み方向の４側面３２Ａ、３２Ｂ、３２Ｃ、３２Ｄを有している。そして、扉枠体３２は中空構造であり、扉枠体３２の底面側の側面３２Ｃ及び貯蔵室３の中央側の側面３２Ｄには、夫々放熱風路部材３３を固定するための複数の固定用リブ３６、３７が形成されている。
【００４５】
扉枠体３２の機械室１９（図１（Ｂ）参照）側の側面３２Ｂには、下端側でありその後方側に放熱用の開口部３８が形成されている。具体的には、開口部３８は、断熱扉４Ａが断熱箱体２（図１（Ａ）参照）に対して閉められた状態時に、機械室１９に形成された放出口４５（図３（Ａ）参照）と対向する位置に形成されている。
【００４６】
扉枠体３２の上面側の側面３２Ａには、右端側でありその後方側に放熱用の開口部３９が形成されている。詳細は後述するが、機械室１９内部で発生した熱が、主に、放熱風路部材３３を介して開口部３９から外部へ放出されるが、その放出された熱が、断熱扉４Ａの上方の断熱箱体２の突出部４３（図３（Ａ）参照）に当たり、四方八方へと分散し、拡散する。この構造を実現するため、開口部３９は、断熱扉４Ａが断熱箱体２（図１（Ａ）参照）に対して閉められた状態時に、断熱箱体２の突出部４３と対向する位置に形成されている。特に、開口部３９が、貯蔵室３側に配置されることで、放出された熱が、断熱箱体２の突出部４３と断熱扉４Ａの隙間を介して漂い易くなり、熱の拡散効果が得られ易くなる。
【００４７】
上述したように、断熱扉４Ａは、断熱箱体２に対して回動自在に支持されるが、扉枠体３２の側面３２Ａ、３２Ｃには、夫々同一軸線上に軸部４０が形成されている。そして、軸部４０が断熱箱体２に形成された軸支孔（図示せず）に挿入されることで、断熱扉４Ａは断熱箱体２に支持される。
【００４８】
放熱風路部材３３は、例えば、合成樹脂製の中空部材であり、断面略欧文字のＬ字形状に成形され、扉枠体３２の側面３２Ｃ、３２Ｄに沿って配設されている。放熱風路部材３３は、扉枠体３２の内側に組み付けられ、複数の固定用リブ３６、３７を介して扉枠体３２に固定されている。そして、放熱風路部材３３には、その両端部に開口部３３Ａ、３３Ｂが形成される。開口部３３Ａ、３３Ｂはそれぞれ扉枠体３２の開口部３８、３９の位置と一致する様に、放熱風路部材３３は扉枠体３２に固定されている。この構造により、放熱風路部材３３は、外部空間と連通し、断熱扉４Ａが断熱箱体２に対して閉められた状態時には、開口部３３Ａは機械室１９の放出口４５（図３（Ａ）参照）と対向する。そして、機械室１９から送風機４７（図３（Ａ）参照）にて送られた温められた空気が、放熱風路部材３３内部へと流れ込むことができる。
【００４９】
後面板材３４は、例えば、合成樹脂製の板材であり、断熱扉４Ａの形状に合わせて略長方形形状に成形されている。後面板材３４は、扉枠体３２の開口を塞ぐように扉枠体３２の後面側に組み付けられている。そして、後面板材３４は、断熱扉４Ａが断熱箱体２に対して閉められた状態時に、貯蔵室３を塞ぐ面となるため、後面板材３４には、その最外周に略矩形の枠状のガスケット３５が取り付けられている。
【００５０】
ガスケット３５は、断熱箱体２の貯蔵室３の周縁部の前面及びセンターピラー６（図１（Ａ）参照）の前面と着磁し、貯蔵室３の密閉性を実現する。この構造により、外部から冷蔵庫１の貯蔵室３内への熱の侵入を抑えると共に、貯蔵室３内の冷気が外部へと逃げることを抑えている。尚、上述したように、断熱扉４Ａの前面板材３１と後面板材３４との間隙には、発泡ポリウレタン製の断熱材（図示せず）が充填発泡され、断熱構造が実現されている。
【００５１】
図３（Ａ）は、本発明の実施形態に係る冷蔵庫１の放熱構造体を説明するための図であり、図１（Ａ）に示す冷蔵庫１のＢ−Ｂ線方向の側面断面図である。図３（Ｂ）は、本発明の実施形態に係る冷蔵庫１の放熱構造体を説明するための図であり、図１（Ａ）に示す冷蔵庫１のＣ−Ｃ線方向の側面断面図である。尚、図３（Ａ）では、説明の都合上、断熱扉４、５を省略して図示している。
【００５２】
図３（Ａ）に示す如く、本実施形態の放熱構造体として、少なくとも機械室１９に設けられた放出口４５、４６と、機械室１９内部の送風機４７、４８と、断熱扉４Ａ、５Ａにそれぞれ内蔵される放熱風路部材３３と、を有している。
【００５３】
冷蔵庫１の上面側には断熱箱体２が配設され、断熱箱体２の外箱７がトップテーブル２Ａの表面として用いられ、断熱箱体２がトップテーブル２Ａとしても機能している。そして、丸印４１、４２にて示すように、冷蔵庫１の前後方向において、断熱箱体２の一部が貯蔵室３よりも外側へ突出して成形されている。断熱箱体２の突出部４３、４４は、冷蔵庫１の左右方向に延在し、図示していないが、突出部４３、４４の下方には断熱扉４、５（図１（Ａ）参照）が配設されている。
【００５４】
また、機械室１９（図１（Ｂ）参照）は突出部４３、４４の下方まで形成され、突出部４３、４４の下方では、機械室カバー１８が折り曲げ加工され、機械室１９の空間が形成されている。そして、突出部４３、４４下方の機械室カバー１８には、それぞれ機械室１９内にて発生した熱により温められた空気を放出するための放出口４５、４６が形成されている。上述したように、機械室１９は、冷蔵庫１の左側の下部に冷蔵庫１の前後方向に渡り配設され、機械室１９内部の前後方向端部には、点線にて示すように、送風機４７、４８が配設されている。そして、送風機４７、４８が稼働することで、機械室１９内にて発生した熱により温められた空気が放出口４５、４６から外部へと放出される。つまり、機械室１９では、圧縮機２０の稼働に連動して送風機４７、４８も稼働し、機械室１９内部に発生した熱が外部へと放出される。
【００５５】
図３（Ｂ）では、突出部４３の配設領域であり、機械室１９の放出口４５及び断熱扉４Ａの放熱風路部材３３の配設領域の断面を示している。尚、機械室１９内部の圧縮機２０及び制御室２２内の制御基板２３は省略して図示している。また、上述したように、開口部３３Ａと開口部３８とは、実質、一致しているため同じ開口部を図示し、同様に、開口部３３Ｂと開口部３９とは、実質、一致しているため同じ開口部を図示している。
【００５６】
図示したように、機械室１９の前方側の端部には送風機４７が配設されている。送風機４７として、例えば、ＤＣブロワファンが用いられ、送風機４７の側面から空気を取り込み、直進性に優れた風を前方へと送り出す。図３（Ａ）に示すように、送風機４７、４８は、突出部４３、４４下方であり、機械室１９の前後方向の端部にそれぞれ配設されることで、機械室１９内部の空気は放出口４５、４６を介して機械室１９の外部へと放出される。そして、機械室１９内部の空気は、圧縮機２０等が稼働することで発生した熱により温められ、その温められた空気を放出することで、機械室１９内部の熱も放出される。
【００５７】
送風機４７の吹出口４７Ａが機械室カバー１８の放出口４５の位置と一致する様に、送風機４７が機械室１９内部に配設されている。そして、断熱扉４Ａが断熱箱体２に対して閉められた状態時には、扉枠体３２の開口部３８が、機械室カバー１８の放出口４５と対向する。この構造により、矢印４９にて示すように、送風機４７を介して機械室１９から放出された温められた空気は、放熱風路部材３３内部へと流れ込み、断熱扉４Ａの上面の扉枠体３２の開口部３９から外部へと放出される。
【００５８】
このとき、丸印５０にて示すように、放熱風路部材３３は、断熱扉４Ａのコーナー部に対応して直角に折れ曲がる直角コーナー部３３Ｃを有している。上述したように、温められた空気は送風機４７を介して真直ぐ勢い良く吹き出されるため、上記吹き出された空気は、直角コーナー部３３Ｃの側壁に衝突し大部分は上方へと流れるが、その一部が送風機４７側へと戻る。この構造により、直角コーナー部３３Ｃから上方側へ向かう温められた空気の流れが緩やかとなり、温められた空気の温度は、機械室１９内部よりも下がった状態にて開口部３９から放出される。
【００５９】
また、直角コーナー部３３Ｃから上方側へ向かう温められた空気は、緩やかな流れの状態にて開口部３９から放出される。矢印５１にて示すように、開口部３９から放出された温められた空気の大部分は、突出部４３の下面に衝突することで、その流れが更に緩やかとなる。そして、温められた空気は、突出部４２と断熱扉４Ａ、４Ｂとの間の隙間を四方八方に分散し、拡散しながら、冷蔵庫１の外部へと流れていく。
【００６０】
つまり、機械室１９内部の温められた空気は、冷蔵庫１の前後方向から分散して放出され、更に、開口部３９では、上記四方八方に分散し、拡散して放出される。そして、開口部３９から放出される温められた空気は、機械室１９内部よりも温度が低下している。この放出状況により、断熱扉４Ａ、４Ｂの近傍に人が座っている場合でも、放出された温められた空気を不快に感じ難くなり、冷蔵庫１を囲むように人が集うことが可能となる。
【００６１】
一方、上述したように、温められた空気は、直角コーナー部３３Ｃから上方側へ向かう際にその流れが緩やかとなり、放熱風路部材３３の内部に留まる時間が長くなる。この構造により、放熱風路部材３３がヒータとしての役割をなし、断熱扉４Ａに結露防止用のヒータが配設されることなく、断熱扉４Ａの結露が防止される。特に、放熱風路部材３３が、断熱扉４Ａの握手部分に沿って配設されることで、上記結露防止用のヒータとしての効果が大きくなる。
【００６２】
図４（Ａ）は、本発明の実施形態に係る冷蔵庫１の供給風路１３を説明するための上面略図である。図４（Ｂ）は、本発明の実施形態に係る冷蔵庫１の冷気の流れを説明するための図であり、図４（Ａ）に示す冷蔵庫１のＤ−Ｄ線方向の側面断面図である。
【００６３】
図４（Ａ）に示す如く、ダクトカバー１７が貯蔵室３上面の内箱８に配設され、供給風路１３が、貯蔵室３と仕切られて形成されている。点線６１にて囲まれた領域が貯蔵室３の略外形を示しているが、貯蔵室３は、冷蔵庫１の左右方向が長手方向となっている。上述したように、冷蔵庫１はテーブルとしても用いられ、その周囲に家族が集い、その人数分の食事等を並べるスペースが必要であるため、冷蔵庫１は左右方向に長い直方体形状となっている。
【００６４】
一方、冷却室１１は、冷蔵庫１の右側端部近傍であり、冷蔵庫１の前後方向が長手方向となっている。そして、冷却室１１にて冷却された冷気を循環させ貯蔵室３内を冷やすために、供給風路１３は、冷蔵庫１の左右方向に延在して形成されている。具体的には、供給風路１３は、ダンパ６２を介して冷却室１１と繋がり、冷蔵庫１の長手方向に延在する第１の供給風路１３Ａと、第１の供給風路１３Ａから分岐する２本の第２の供給風路１３Ｂ、１３Ｃとを有している。
【００６５】
第１の供給風路１３Ａは、ダンパ６２を介して冷却室１１と繋がり、機械室１９側へと向けて貯蔵室３の中央領域に配設されている。そして、第１の供給風路１３Ａには吹出口は形成されない構造により、ダンパ６２が開状態となった場合には、冷却室１１から第１の供給風路１３Ａへと流れ込んだ冷気は、第１の供給風路１３Ａを介して機械室１９側まで運ばれる。
【００６６】
第２の供給風路１３Ｂ、１３Ｃは、機械室１９側近傍にて、第１の供給風路１３Ａから貯蔵室３の前後方向に分岐し、貯蔵室３の前後方向の開口に沿って冷却室１１側へと向けて延在して配設されている。そして、第２の供給風路１３Ｂ、１３Ｃには、それぞれ貯蔵室３の前後方向の開口側に向けて３つの吹出口６３、６４、６５、６６、６７、６８が形成されている。
【００６７】
この構造により、冷却室１１から供給された冷気は、先ず、第１の供給風路１３Ａにより冷却室１１の反対側の貯蔵室３の側面まで運ばれる。そして、冷気は、機械室１９側から冷却室１１側へと向けて、順次、第２の供給風路１３Ｂ、１３Ｃの吹出口６３〜６８から貯蔵室３の内部全体へと供給される。
【００６８】
図４（Ｂ）に示す如く、第２の供給風路１３Ｃの側面には、貯蔵室３の前面開口側に３つの吹出口６６〜６８が形成されている。上述したように、冷却室１１から供給された冷気は、吹出口６６〜６８から、順次、貯蔵室３の内部へ供給される。このとき、吹出口６６〜６８から供給される冷気は、主に、断熱扉４Ａに向けて吹き付けられた後、断熱扉４Ａに沿って貯蔵室３の下方へと流れる。そして、吹出口６６〜６８から供給される冷気は、冷却室１１の仕切部材１０の戻り口１６を介して冷却室１１へと吸い込まれる。戻り口１６は、貯蔵室３の前後方向に渡り長く開口することで、貯蔵室３全体から冷気を吸い込むことができ、冷気は貯蔵室３全体に偏りなく、効率的に供給される構造が実現される。尚、第２の供給風路１３Ｂ側の構造も第２の供給風路１３Ｃと同じ構造であり、ここではその説明を割愛する。
【００６９】
また、貯蔵室３はその前後方向に開口し、その前面開口及び後面開口に対して断熱扉４、５（図１（Ａ）参照）がそれぞれ配設され、使用者は、その断熱扉４、５を開閉させることで、貯蔵室３の前後方向のどちら側からも貯蔵室３を利用することができる。そして、使用者が、断熱扉４、５を開けた際には、吹出口６３〜６８から供給される冷気は、エアカーテンとしての役割も成し、断熱扉４、５の開閉動作に伴い貯蔵室３内の温度が急激に上昇することが防止される。
【００７０】
図５（Ａ）は、本発明の実施形態に係る冷蔵庫１の庫内照明を説明するための上面略図である。図５（Ｂ）は、本発明の実施形態に係る冷蔵庫１の庫内照明を説明するための図であり、図５（Ａ）に示す冷蔵庫１のＥ−Ｅ線方向の側面断面図である。
【００７１】
図５（Ａ）に示す如く、点線６１にて囲まれた領域が貯蔵室３の略外形を示している。上述したように、断熱扉４、５（図１（Ａ）参照）は観音開閉式扉であり、貯蔵室３の前面開口及び後面開口は冷蔵庫１の左右方向に大きく開口している。そして、貯蔵室３の前面開口及び後面開口に沿って、庫内照明７１、７２が、それぞれ貯蔵室３上面の内箱８であり、貯蔵室３内の前方端部及び後方端部に配設されている。庫内照明７１、７２は、例えば、ＬＥＤ照明である。
【００７２】
図５（Ｂ）に示す如く、庫内照明７１、７２は、例えば、断面略三角形状の反射フレーム内にＬＥＤ蛍光灯が配置される構造であり、庫内照明７１、７２は、それぞれ貯蔵室３の上方から下方に向けて貯蔵室３内を照らすとともに、貯蔵室３の手前側から奥側に向けて貯蔵室３内を照らしている。この構造により、貯蔵室３内に収納された食材は、貯蔵室３の奥側に向けて影が出来、前面開口及び後面開口側に向けて影が出来難くなるため、貯蔵室３内が明るくなり、貯蔵室３内の食材等が見易くなる。
【００７３】
尚、本実施形態では、冷蔵庫１の前面開口及び後面開口に対して断熱扉４、５が配設される場合について説明したが、この場合に限定されるものではない。例えば、冷蔵庫１に前面開口のみが形成され、その前面開口に対して断熱扉４が配設される場合でも、上述した構造を採用することで、同様に放熱の分散及び拡散効果や貯蔵室３への冷気の効率的な供給が実現される。
【００７４】
また、結露防止用ヒータが、断熱扉４Ａ、４Ｂ及び断熱扉５Ａ、５Ｂに配設されていない場合について説明したが、この場合に限定するものではない。例えば、少なくとも放熱風路部材３３が形成される断熱扉４Ａ、５Ａについて結露防止用ヒータが配設されていなければ良く、断熱扉４Ｂ、５Ｂには結露防止用ヒータが配設される場合でも良い。その他、本発明の要旨を逸脱しない範囲で、種々の変更実施が可能である。
【符号の説明】
【００７５】
１  冷蔵庫
２  断熱箱体
２Ａ  トップテーブル
３  貯蔵室
４、４Ａ、４Ｂ  断熱扉
５、５Ａ、５Ｂ  断熱扉
１１  冷却室
１２  蒸発器
１３  供給風路
１３Ａ  第１の供給風路
１３Ｂ  第２の供給風路
１４  送風口
１５  送風機
１６  戻り口
１７  ダクトカバー
１８  機械室カバー
１９  機械室
２０  圧縮機
２１  凝縮器
３２  扉枠体
３３  放熱風路部材
３３Ａ、３３Ｂ  開口部
３８、３９  開口部
４３、４４  突出部
４５、４６  放出口
４７、４８  送風機
６３、６４、６５、６６、６７、６８  吹出口
７１、７２  庫内照明
【図１】
2018059674.tif 000003
【図２】
2018059674.tif 000004
【図３】
2018059674.tif 000005
【図４】
2018059674.tif 000006
【図５】
2018059674.tif 000007
【図６】
2018059674.tif 000008